(57)【要約】【課題】多数のスイッチボタンを集中配置した場合でも、防水シートを貼り付け易く、また、防水シートの接着面積を確保し易いスイッチ装置および調理器を提供する。【解決手段】スイッチ５ａ〜５ｆを内蔵した胴部材３の外面に開口部１１〜１６を設け、この開口部１１〜１６を水密に覆う防水シート１７を胴部材３の外面に接着し、開口部１１〜１６を通してスイッチ５ａ〜５ｆを操作するスイッチボタン１８〜２５を防水シート１７の外方に配し、このスイッチボタン１８〜２５をボタン穴２８〜３５から露出させる操作パネル２７を胴部材３の外面に装着したスイッチ装置において、防水シート１７と操作パネル２７との間に、スイッチボタン１８〜２５をボタン穴２８〜３５に保持する枠部材４６を設置した構成とした。【選択図】図２
2006025863.tif 000002
【特許請求の範囲】
【請求項１】
スイッチを内蔵したケースの外面に開口部を設け、この開口部を水密に覆う防水シートを前記ケースの外面に接着し、前記開口部を通して前記スイッチを操作するスイッチボタンを前記防水シートの外方に配し、このスイッチボタンをボタン穴から露出させる操作パネルを前記ケースの外面に装着したスイッチ装置において、前記防水シートと前記操作パネルとの間に、前記スイッチボタンを前記ボタン穴に保持する枠部材を設置したことを特徴とするスイッチ装置。
【請求項２】
前記スイッチボタンにヒンジ部を設け、前記枠部材と前記操作パネルのうち、少なくとも一方にヒンジ受け部を設け、前記操作パネルを前記ケースに装着した状態で、前記枠部材と前記操作パネルとにより前記ヒンジ部を前記ヒンジ受け部に保持したことを特徴とする請求項１に記載のスイッチ装置。
【請求項３】
前記枠部材に弾性を有するアーム部を設け、このアーム部により前記スイッチボタンを保持したことを特徴とする請求項１または２に記載のスイッチ装置。
【請求項４】
前記スイッチボタンの側面と対向する遮光壁を前記枠部材に設けたことを特徴とする請求項１から３のいずれかに記載のスイッチ装置。
【請求項５】
前記枠部材と前記操作パネルとを嵌合部により結合一体化したことを特徴とする請求項１から４のいずれかに記載のスイッチ装置。
【請求項６】
前記操作パネルの裏面にリブ部を設け、前記スイッチボタンに前記リブ部との当り部を設け、前記スイッチボタンの前記操作パネル外面からの出代を、前記リブ部と前記当り部との当接により決めたことを特徴とする請求項１から５のいずれかに記載のスイッチ装置。
【請求項７】
前記ケースを外装部材から構成したことを特徴とする請求項１から６のいずれかに記載のスイッチ装置を備えた調理器。
【発明の詳細な説明】
【技術分野】
【０００１】
この発明は、スイッチ装置、および、スイッチ装置を備えた炊飯器や電気湯沸し器などの調理器に関する。
【背景技術】
【０００２】
従来から、胴部材の前端部外面に開口部を設け、胴部材内には、スイッチと基板を内蔵すると共に、前記開口部に臨むように胴部材内にスイッチスペーサを配し、前記胴部材の前端部外面には、ヒンジ受け部を形成すると共に、前記開口部を水密に覆う防水シートを接着し、前記防水シートの外方には、この防水シートを介して前記スイッチスペーサを操作するスイッチボタンをそのヒンジ部を前記ヒンジ受け部に嵌めて設置し、このスイッチボタンをボタン穴から露出させる操作パネルを前記ケースの外面に装着したスイッチ装置を備えた炊飯器がある（特許文献１）。
【０００３】
【特許文献１】特開２００４−３３４０５号公報（図３、図６、段落番号[００１９]、[００２５]を参照）
【発明の開示】
【発明が解決しようとする課題】
【０００４】
しかしながら、近年、調理器の高機能化に伴い、調理器に設ける機能設定用のスイッチボタンの数が増加している。通常、これらのスイッチボタン類は、製品デザインおよび操作性の観点から、一箇所にまとめて設置される。これに応じて、胴部材の前端部外面には、多数の前記開口部と前記ヒンジ受け部とが、狭い範囲にまとめて配置される。
【０００５】
ところが、特許文献１のものは、前記ヒンジ受け部を胴部材の前端部外面に集中させた場合、これらのヒンジ受け部が邪魔になるので、前記防水シートを貼り付け難くいという問題があった。さらに、特許文献１のものは、前記ヒンジ受け部に掛からないように防水シートを裁断する必要があるので、前記防水シートの接着面積を確保し難いという問題もあった。
【０００６】
そこで、この発明の課題は、スイッチを内蔵したケースの外面に開口部を設け、この開口部を水密に覆う防水シートを前記ケースの外面に接着し、前記開口部を通して前記スイッチを操作するスイッチボタンを前記防水シートの外方に配し、このスイッチボタンをボタン穴から露出させる操作パネルを前記ケースの外面に装着したスイッチ装置において、多数のスイッチボタンを集中配置した場合でも、前記防水シートを貼り付け易く、また、前記防水シートの接着面積を確保し易いスイッチ装置を提供することにある。
【０００７】
また、この発明の別の課題は、スイッチを内蔵した外装部材の外面に開口部を設け、この開口部を水密に覆う防水シートを前記外装部材の外面に接着し、前記開口部を通して前記スイッチを操作するスイッチボタンを前記防水シートの外方に配し、このスイッチボタンをボタン穴から露出させる操作パネルを前記外装部材の外面に装着した調理器において、多数のスイッチボタンを集中配置した場合でも、前記防水シートを貼り付け易く、また、前記防水シートの接着面積を確保し易い調理器を提供することにある。
【課題を解決するための手段】
【０００８】
上記の課題を解決するため、この発明は、スイッチを内蔵したケースの外面に開口部を設け、この開口部を水密に覆う防水シートを前記ケースの外面に接着し、前記開口部を通して前記スイッチを操作するスイッチボタンを前記防水シートの外方に配し、このスイッチボタンをボタン穴から露出させる操作パネルを前記ケースの外面に装着したスイッチ装置において、前記防水シートと前記操作パネルとの間に、前記スイッチボタンを前記ボタン穴に保持する枠部材を設置した構成とした。
【０００９】
上記構成によれば、前記防水シートと前記操作パネルとの間に、前記スイッチボタンを前記ボタン穴に保持する枠部材を設置したので、前記ケースの外面には、ヒンジ受け部などの前記スイッチボタンを保持するための構造を設ける必要がない。これにより、多数の前記スイッチボタンを集中配置した場合でも、邪魔な突起などが前記ケースの外面に存在しないため、前記防水シートの貼り付けが容易になり、前記防水シートの接着面積を確保することも容易になる。
【００１０】
この発明の具体的構成としては、前記スイッチボタンにヒンジ部を設け、前記枠部材と前記操作パネルのうち、少なくとも一方にヒンジ受け部を設け、前記操作パネルを前記ケースに装着した状態で、前記枠部材と前記操作パネルとにより前記ヒンジ部を前記ヒンジ受け部に保持した構成を採用することができる。
【００１１】
この発明の別の具体的構成としては、前記枠部材に弾性を有するアーム部を設け、このアーム部により前記スイッチボタンを保持した構成を採用すれば、前記スイッチボタンが、前記ボタン穴から抜け落ちることがより確実に防止される。
【００１２】
この発明において前記スイッチボタンを点灯式とする場合には、前記スイッチボタンの側面と対向する遮光壁を前記枠部材に設けることができる。
【００１３】
また、この発明においては、前記枠部材と前記操作パネルとを嵌合部により結合一体化した構成を採用すれば、スイッチ装置の組立てが容易になる。
【００１４】
また、この発明においては、前記操作パネルの裏面にリブ部を設け、前記スイッチボタンに前記リブ部との当り部を設け、前記スイッチボタンの前記操作パネル外面からの出代を、前記リブ部と前記当り部との当接により決めた構成を採用すれば、前記スイッチボタンが、前記ボタン穴から抜け出すことがより確実に防止される。
【００１５】
この発明の別の形態としては、前記ケースを外装部材から構成した上記いずれかのスイッチ装置を備えた調理器とすることもできる。この調理器によれば、前記外装部材の外面に多数の前記スイッチボタンを集中配置した場合でも、上記スイッチ装置と同様の作用を得られる。
【発明の効果】
【００１６】
上述のように、この発明によれば、スイッチを内蔵したケースの外面に開口部を設け、この開口部を水密に覆う防水シートを前記ケースの外面に接着し、前記開口部を通して前記スイッチを操作するスイッチボタンを前記防水シートの外方に配し、このスイッチボタンをボタン穴から露出させる操作パネルを前記ケースの外面に装着したスイッチ装置において、多数のスイッチボタンを集中配置した場合でも、前記防水シートを貼り付け易く、また、前記防水シートの接着面積を確保し易いスイッチ装置を提供することができる。
【００１７】
また、この発明によれば、スイッチを内蔵した外装部材の外面に開口部を設け、この開口部を水密に覆う防水シートを前記外装部材の外面に接着し、前記開口部を通して前記スイッチを操作するスイッチボタンを前記防水シートの外方に配し、このスイッチボタンをボタン穴から露出させる操作パネルを前記外装部材の外面に装着した調理器において、多数のスイッチボタンを集中配置した場合でも、前記防水シートを貼り付け易く、また、前記防水シートの接着面積を確保し易い調理器を提供することができる。
【発明を実施するための最良の形態】
【００１８】
以下、この発明の最良の実施形態に係るスイッチ装置を備えた調理器の一例を、図１〜図５に基づいて説明する。図１に全体斜視を示した調理器は、筒状の胴部材１と、胴部材１の下端開放口を閉じる底板部材２と、胴部材１の上端開放口の内面に嵌合された肩部材３と、上蓋部材４とを、外装部材として備えた炊飯器である。
【００１９】
図２、図３（ａ）〜（ｃ）に示すように、肩部材３の前端部には、スイッチ５ａ〜５ｋと、液晶表示部６と、発光部７を設置した基板８が内蔵されている。スイッチ５ａ〜５ｋは、タクトスイッチからなり、基板上に設置された液晶表示部６を取り囲むようにして、図中右側にスイッチ５ａ、前方側にスイッチ５ｂ〜５ｉ、図中左側にスイッチ５ｊ、５ｋが設置されている。
【００２０】
肩部材３の前端部外面には、平滑面とされた凹入部９が形成されている。この凹入部９には、液晶表示部６を露出させる開口部１０と、スイッチ５ａ、５ｂを露出させる開口部１１と、スイッチ５ｃ、５ｄを露出させる開口部１２と、スイッチ５ｅ、５ｆを露出させる開口部１３と、スイッチ５ｇ、５ｈを露出させる開口部１４と、スイッチ５ｉを露出させる開口部１５と、スイッチ５ｊ、５ｋを露出させる開口部１６とが設けられている。
【００２１】
開口部１０〜１６は、凹入部９のほぼ全面を覆う一枚の防水シート１７で水密に覆われている。防水シート１７は、透明な樹脂シートからなり、裏面が凹入部９の外面に接着されている。
【００２２】
防水シート１７の外方には、スイッチボタン１８、１９が開口部１１、スイッチボタン２０が開口部１２、スイッチボタン２１が開口部１３、スイッチボタン２２が開口部１４、スイッチボタン２３が開口部１５、スイッチボタン２４、２５が開口部１６に臨むように配されている。
【００２３】
スイッチボタン１８〜２５は、透明樹脂からなり、その押し面には、不透明な印刷フィルムがインサート成形されている。防水シート１７の開口部１１と１６に臨む部分には、遮光シール２６が貼り付けられており、発光部７からの照射光によりスイッチボタン１８、１９、２３、２４および２５を部分的に光らせるようになっている。
【００２４】
図４、図５に示すように、スイッチボタン１８〜２５は、凹入部９に嵌まる操作パネル２７のボタン穴２８〜３５より露出されている。スイッチボタン１８〜２５は、各々にヒンジ部３６〜４３が形成されている。スイッチボタン２０〜２３は、ヒンジ部３８〜４１を介して、各々のスイッチボタンが独立して動く程度に柔軟な接続部４４により連結されている。また、スイッチボタン２４と２５は、同軸に形成されたヒンジ部４１と４２とを介して、同様の接続部４５により連結されている。
【００２５】
スイッチボタン１８〜２５は、防水シート１７と操作パネル２７との間に設置された枠部材４６により、ヒンジ部３６〜４３を軸として揺動可能なようにボタン穴２８〜３５に保持されている。
【００２６】
操作パネル２７は、透明樹脂からなり、凹入部９の外面と嵌合し、かつ装着状態で上蓋部材４の外面と同一面を形成するパネル状に成形されている。操作パネル２７の外面には、開口部１０に臨む液晶表示部６の覗き窓４７を設けた印刷フィルムがインサート成形されている。一方、操作パネル２７の裏面には、ボタン穴２８〜３５に近接する位置に、ヒンジ部３６〜４３を嵌めるヒンジ受け部４８ａ〜５５ａが形成され、中空円柱状の嵌合ボス孔５６ａ〜５６ｅが５箇所に設置されている。ヒンジ受け部４８ａ〜５５ａには、軸方向において半円状の軸受け部が形成されている。
【００２７】
枠部材４６は、不透明な合成樹脂からなり、ヒンジ受け部５０ａ〜５１ａに臨む前側フレーム部５７と、覗き窓４７の両側縁に臨むように前側フレーム部５７の両端より直角に延設された右側フレーム部５８と、左側フレーム部５９と、ボタン穴２８、２９の穴縁に臨むように右側フレーム部５８より右方に延設された右枠部６０と、ボタン穴３４、３５の穴縁に臨むように左側フレーム部５９より左方に延設された左枠部６１とが設けられた枠体からなる。
【００２８】
右枠部６０の外面には、操作パネル２７側のヒンジ受け部４８ａ、４９ａと対向する位置に、同様のヒンジ受け部４８ｂ、４９ｂが形成され、嵌合ボス孔５６ａ、５６ｂと対向する位置に嵌合突起部６２ａ、６２ｂが形成されている。前側フレーム部５７の外面には、操作パネル２７側のヒンジ受け部５０ａ、５１ａ、５２ａと対向する位置に、同様のヒンジ受け部５０ｂ、５１ｂ、５２ｂが形成され、嵌合ボス孔５６ｃ、５６ｄと対向する位置に嵌合突起部６２ｃ、６２ｄが形成されている。左側フレーム部５９の外面には、操作パネル２７側のヒンジ受け部５４ａ、５５ａと対向する位置に、同様のヒンジ受け部５４ｂ、５５ｂが形成され、嵌合ボス孔５６ｅと対向する位置に、嵌合突起部６２ｅが形成されている。左枠部６１の外面には、操作パネル２７側のヒンジ受け部５３ａと対向する位置に、同様のヒンジ受け部５３ｂが形成されている。
【００２９】
操作パネル２７と枠部材４６は、スイッチボタン１８〜２５をボタン穴２８〜３５に嵌めると共に、ヒンジ部３６〜４３をヒンジ受け部４８ａ〜５５ａに嵌めた状態で、嵌合ボス孔５６ａ〜５６ｅに嵌合突起部６２ａ〜６２ｅを強制嵌合することにより操作パネル２７の裏面において結合一体化される。この状態において、操作パネル２７側のヒンジ受け部４８ａ〜５５ａと、これに対応する枠部材４６側のヒンジ受け部４８ｂ〜５５ｂとが上下に合さり、各々のヒンジ部３６〜４３は、操作パネル２７と枠部材４６とにより保持される。
【００３０】
また、右枠部６０には、弾性を有するようにスイッチボタン１８の内方までアーム部６３が延設されている。さらに、前側フレーム部５７の前端両側にも、同様のアーム部６４、６５が、それぞれスイッチボタン１９、スイッチボタン２３の内方まで延設されている。上記の一体化状態で、スイッチボタン１８、スイッチボタン１９およびスイッチボタン２３は、それぞれのヒンジ部と反対側においてアーム部６３〜６５によって保持されている。これにより、スイッチボタン１８、スイッチボタン１９およびスイッチボタン２３の内方への落ち込みが確実に防止される。
【００３１】
操作パネル２７は、上記の一体化後に、その裏面に突設された螺子孔６６を肩部材３の挿通孔６７に通し、基板８の裏側から螺子止めすることに肩部材３に装着される。この装着状態では、スイッチボタン１８〜２５の裏面に形成された突部６８が、防水シート１７を介してスイッチスペーサ６９と対向する。スイッチボタン１８〜２５が使用者により押圧されると、突部６８がスイッチスペーサ６９を内方へ押し、スイッチ５をＯＮする。一方、使用者による押圧がなくなると、スイッチボタン１８等は、接続部４４やアーム部６３等の弾性回復とスイッチ５ａ等のリターンにより規定の出代ｈまで復帰される。
【００３２】
ここで、出代ｈとは、スイッチボタン１８〜２５の押し面と操作パネル２７の外面との間に設けられる外方への突出量のことである（図３（ａ）参照）。この出代ｈは、ボタン穴２８〜３５の周囲に設けられたリブ部７０〜７５と、スイッチボタン１８〜２５の内端縁に鍔状に設けられた当り部７６〜８２との当接により決められる。
【００３３】
また、上記の装着状態では、スイッチボタン１８、１９、２４および２５には、発光部７の点灯光が照射される。そこで、隣接するスイッチボタン間の点灯状態が誤認されることを防止するため、右枠部６０の外面には、遮光壁８３がボタン穴２８の穴縁に沿って形成され、左枠部６１の外面には、遮光壁８４がボタン穴３４の前後両方の穴縁に沿って形成されている。遮光壁８３、８４は、スイッチボタン１８、２４が規定の出代ｈにある状態で、スイッチボタン１８、２４の側面と対向する高さに形成されている。
【００３４】
なお、この実施形態では、スイッチボタン１８〜２５を肩部材３の凹入部９にまとめて配置した例を示したが、この発明は、スイッチボタン１８〜２５を胴部材１の外面や上蓋部材４の外面にまとめて配置した場合にも、同様に適用することができる。
【図面の簡単な説明】
【００３５】
【図１】実施形態に係る炊飯器の全体斜視図。
【図２】同上の肩部材の前端部分の拡大分解斜視図。
【図３】（ａ）同上のスイッチ装置部分の拡大縦断側面図、（ｂ）同上のスイッチボタン部分の拡大縦断側面図、 （ｃ）同上の別のスイッチボタン部分の拡大縦断側面図。
【図４】同上のスイッチ装置部分の拡大分解斜視図。
【図５】同上のスイッチ装置の操作パネルと枠部材の結合状態を示す平面図。
【符号の説明】
【００３６】
１  胴部材
２  底板部材
３  肩部材
４  上蓋部材
５ａ、５ｂ、５ｃ、５ｄ、５ｅ、５ｆ、５ｇ、５ｉ、５ｊ、５ｋ  スイッチ
６  液晶表示部
７  発光部
８  基板
９  凹入部
１０、１１、１２、１３、１４、１５、１６  開口部
１７  防水シート
１８、１９、２０、２１、２２、２３、２４、２５  スイッチボタン
２６  遮光シール
２７  操作パネル
２８、２９、３０、３１、３２、３３、３４、３５  ボタン穴
３６、３７、３８、３９、４０、４１、４２、４３  ヒンジ部
４４、４５  接続部
４６  枠部材
４７  覗き窓
４８ａ、４８ｂ、４９ａ、４９ｂ、５０ａ、５０ｂ、５１ａ、５１ｂ、５２ａ、５２ｂ、５３ａ、５３ｂ、５４ａ、５４ｂ、５５ａ、５５ｂ  ヒンジ受け部
５６ａ、５６ｂ、５６ｃ、５６ｄ、５６ｅ  嵌合ボス孔
５７  前端フレーム部
５８  右側フレーム部
５９  左側フレーム部
６０  右枠部
６１  左枠部
６２ａ、６２ｂ、６２ｃ、６２ｄ、６２ｅ  嵌合突起部
６３、６４、６５  アーム部
６６  螺子孔
６７  挿通孔
６８  突部
６９  スイッチスペーサ
７０、７１、７２、７３、７４、７５  リブ部
７６、７７、７８、７９、８０、８１、８２  当り部
８３、８４  遮光壁
ｈ  出代
【図１】
2006025863.tif 000003
【図２】
2006025863.tif 000004
【図３】
2006025863.tif 000005
【図４】
2006025863.tif 000006
【図５】
2006025863.tif 000007